(57)【要約】【課題】使用面において有利にしながらも、どちら側から避難用の開口を現出させたかを把握することができるベランダ間仕切り用扉を提供することを課題とする。【解決手段】左右幅方向一側に備えた上下軸芯Ｘ周りで前後両方向にそれぞれ開放揺動自在な扉本体１を設け、扉本体１の前後両側にそれぞれ錠２，３が設置され、一方の錠２を開錠した状態では扉本体１を閉じ位置から他方の施錠状態の錠３側へのみ又は一方の錠２側へのみ開放操作することを許容し、他方の錠３を開錠した状態では扉本体１を閉じ位置から一方の施錠状態の錠２側へのみ又は他方の錠３側へのみ開放操作することを許容すべく、２つの錠２，３を構成し、扉本体１の開放操作に伴って扉本体１の開放方向に対応した向きになるように初期姿勢から姿勢変更するとともに変更姿勢を保持可能に構成した扉開放方向検出具４を備えさせた。【選択図】図１
2007285058.tif 000002
【特許請求の範囲】
【請求項１】
左右幅方向一側に備えた上下軸芯周りで前後両方向にそれぞれ開放揺動自在な扉本体を設け、前記扉本体の前後両側にそれぞれ錠が設置され、該一方の錠を開錠した状態では前記扉本体を閉じ位置から他方の施錠状態の錠側へのみ又は該一方の錠側へのみ開放操作することを許容し、該他方の錠を開錠した状態では前記扉本体を閉じ位置から該一方の施錠状態の錠側へのみ又は該他方の錠側へのみ開放操作することを許容すべく、該２つの錠を構成し、前記扉本体の開放操作に伴って該扉本体の開放方向に対応した向きになるように初期姿勢から姿勢変更するとともに該変更姿勢を保持可能に構成した扉開放方向検出具を備えさせたことを特徴とする非常用間仕切り扉。
【請求項２】
前記扉開放方向検出具が、前記扉本体に上下軸芯周りで揺動自在に備えた揺動部材と、この揺動部材を前記扉本体の左右幅方向に沿う前記初期姿勢で係止保持するために扉支持用の固定部材側に備えた係止部材と、該係止部材の係止部側へ前記揺動部材を移動付勢するための付勢部材とからなる請求項１に記載の非常用間仕切り扉。
【請求項３】
前記付勢部材をコイルスプリングから構成し、前記揺動部材を、内部中空の筒状体から構成し、該筒状体の内部空間に前記コイルスプリングを備えさせてなる請求項２に記載の非常用間仕切り扉。
【請求項４】
前記係止部材の係止部に係止する前記揺動部材の係止部側端の少なくとも外周縁を丸くしてなる請求項２又は３に記載の非常用間仕切り扉。
【請求項５】
前記係止部材が、前記扉本体を上下軸芯周りで吊り下げ支持すべく、水平方向に延出した支持アームからなり、その支持アームの延出端面に形成する前記揺動部材の係止部を、平面視が矩形状の切欠きに構成してなる請求項２〜４のいずれかに記載の非常用間仕切り扉。
【請求項６】
前記支持アームの上面に、該支持アームの前記揺動部材側端面よりも揺動部材側へ突出する補強用の板部材を設け、該板部材に前記支持アームに形成した係止部と同一の深さを有する第２の係止部を備えさせてなる請求項５に記載の非常用間仕切り扉。
【請求項７】
前記支持アームと前記扉本体の上端とを連結して該扉本体の開閉時に該扉本体を移動案内するためのガイド部材上に、前記揺動部材を取り付けてなる請求項２〜６のいずれかに記載の非常用間仕切り扉。
【請求項８】
前記錠が、施錠状態では前記扉本体を設けるための枠体に該錠の設置側から当接して設置側と反対側への該扉本体の揺動を接当阻止し、開錠状態では該枠体に当接せず該錠の設置側と反対側への該扉本体の揺動を許容する当接部を備えてなる請求項１〜７のいずれかに記載の非常用間仕切り扉。
【発明の詳細な説明】
【技術分野】
【０００１】
本発明は、例えばマンション等の中高層集合住宅においてベランダに隣家とを仕切るために設けられ、緊急時（非常時）には非難口となるように構成された扉や、家や施設等の建物を取り囲んだり、建物同士の境界線を仕切るための塀や壁あるいはフェンス等に設けられ、緊急時（非常時）に出入りするための出入口となるように構成された扉等の非常用間仕切り扉に関する。
【背景技術】
【０００２】
従来から、左右一対の縦枠とこれら縦枠の上端同士及び下端同士をそれぞれ連結する上下一対の横枠とからなる外枠の内側にフレキシブルボードを固定して、仕切り用のパネルを構成し、そのパネルを、建物側の壁面とベランダの手摺とに渡って固定することによって、隣家とを仕切るとともに、緊急時には、フレキシブルボードを蹴破って非難口を形成することができるようになっている（例えば、特許文献１参照）。
【０００３】
上記仕切り用パネルでは、緊急時にフレキシブルボードを蹴破る構成であるため、女性や子供あるいは老人などの力の弱い人にとっては蹴破ることができない場合がある。
そこで、多数の仕切り用の横長状の板部材をそれの板厚方向が水平となる縦向きで上下方向に隣接して連なるように連結して仕切り壁を構成し、その仕切り壁を、左右一対の縦枠間で上下方向に移動自在に支持させ、前記仕切り壁の上端を、該左右の縦枠の上端同士を連結する中桟の下端に保持手段を介して連結して吊り下げ状態にして、上記仕切り用パネルを構成したものが提案されている（引用文献２参照）。これは、前記保持手段による保持を解除状態にすることによって、自重で板部材が下方へ下降しながら縦向きから水平姿勢に姿勢変更することによって、下端に位置する板部材に対して多数の板部材が上下方向で順次積み重ねられることによって、縦枠間の上下方向中間部に避難用の開口が形成されるようになっている。
【特許文献１】特開２００１−２７０００号公報（図１参照）
【特許文献２】特開２００１−２６９８３号公報（図１及び図２参照）
【発明の開示】
【発明が解決しようとする課題】
【０００４】
上記特許文献２の構成では、避難用の開口を縦枠間の上下方向全域に形成することができないため、その開口を利用して非難する場合には、下側に積み重ねられている多数の板部材を跨いで乗り越えなければならず、使用面において不利になる不都合があった。
又、前記保持手段による保持を解除状態にする操作を、パネルを挟んでどちら側からでも行うことができる構成であるため、例えば泥棒などの第３者が前記避難用の開口を利用してベランダを移動した場合に、どちら側からどちら側へ移動したかを把握することができず、移動経路の特定を行えない不都合もあった。
【０００５】
本発明が前述の状況に鑑み、解決しようとするところは、使用面において有利にしながらも、どちら側から避難用の開口を現出させたかを把握することができる非常用間仕切り扉を提供することを課題とする。
【課題を解決するための手段】
【０００６】
本発明の非常用間仕切り扉は、前述の課題解決のために、左右幅方向一側に備えた上下軸芯周りで前後両方向にそれぞれ開放揺動自在な扉本体を設け、前記扉本体の前後両側にそれぞれ錠が設置され、該一方の錠を開錠した状態では前記扉本体を閉じ位置から他方の施錠状態の錠側へのみ又は該一方の錠側へのみ開放操作することを許容し、該他方の錠を開錠した状態では前記扉本体を閉じ位置から該一方の施錠状態の錠側へのみ又は該他方の錠側へのみ開放操作することを許容すべく、該２つの錠を構成し、前記扉本体の開放操作に伴って該扉本体の開放方向に対応した向きになるように初期姿勢から姿勢変更するとともに該変更姿勢を保持可能に構成した扉開放方向検出具を備えさせたことを特徴としている。
従って、避難用の開口を現出したい場合には、例えば一方の錠を開錠状態にしてから扉本体を左右幅方向一側に備えた上下軸芯周りで揺動させて他方の施錠状態の錠側へ開放することによって、扉本体の大きさの開口を現出させることができる。そして、前記扉本体が揺動されることにより、扉本体の開放方向に対応した向きになるように扉開放方向検出具が初期姿勢から姿勢変更しその変更姿勢が保持されることから、扉本体をどちら側から開放したかを扉開放方向検出具の姿勢を目視するだけで直ちに把握することができる。つまり、一方の錠を開錠状態にして扉本体を開放する場合には、他方の錠は施錠状態にあることから、開錠した錠側（手前側）へは扉本体を開放することができず、施錠状態の錠側（奥側）へしか扉本体を開放することができない。換言すれば、扉本体は両側のそれぞれから開放操作できるものであるが、互いに異なる一方向への開放操作のみ許容する状態となるため、一旦、扉本体が開放されると、その扉本体の開放方向に対応した向きに扉開放方向検出具が向いている姿勢を保持していることから、その扉開放方向検出具の姿勢、つまり向きを見れば、扉本体がどちら側から開放操作されたかを確実に把握することができるのである。尚、扉本体を閉じ位置に位置させたときに、扉開放方向検出具を初期姿勢に復帰操作（又はセット操作）することができるように構成しておけば、何度も使用できる利点があるが、初期姿勢に復帰できないものであってもよい。
又、前記一方の錠を開錠した状態では前記扉本体を閉じ位置から同一側である該一方の錠側へのみ開放操作することを許容し、該他方の錠を開錠した状態では前記扉本体を閉じ位置から同一側である該他方の錠側へのみ開放操作することを許容する構成であってもよい。
【０００７】
前記扉開放方向検出具を、前記扉本体に上下軸芯周りで揺動自在に備えた揺動部材と、この揺動部材を前記扉本体の左右幅方向に沿う前記初期姿勢で係止保持するために扉支持用の固定部材側に備えた係止部材と、該係止部材の係止部側へ前記揺動部材を移動付勢するための付勢部材とから構成してもよい。
【０００８】
前記付勢部材をコイルスプリングから構成し、前記揺動部材を、内部中空の筒状体から構成し、該筒状体の内部空間に前記コイルスプリングを備えさせてもよい。
【０００９】
前記係止部材の係止部に係止する前記揺動部材の係止部側端の少なくとも外周縁を丸くしてもよい。
【００１０】
前記係止部材が、前記扉本体を上下軸芯周りで吊り下げ支持すべく、水平方向に延出した支持アームからなり、その支持アームの延出端面に形成する前記揺動部材の係止部を、平面視が矩形状の切欠きに構成してもよい。
【００１１】
前記支持アームの上面に、該支持アームの前記揺動部材側端面よりも揺動部材側へ突出する補強用の板部材を設け、該板部材に前記支持アームに形成した係止部と同一の深さを有する第２の係止部を備えさせてもよい。
【００１２】
前記支持アームと前記扉本体の上端とを連結して該扉本体の開閉時に該扉本体を移動案内するためのガイド部材上に、前記揺動部材を取り付けてもよい。
【００１３】
前記錠が、施錠状態では前記扉本体を設けるための枠体に該錠の設置側から当接して設置側と反対側への該扉本体の揺動を接当阻止し、開錠状態では該枠体に当接せず該錠の設置側と反対側への該扉本体の揺動を許容する当接部を備えてもよい。
【発明の効果】
【００１４】
左右幅方向一側に備えた上下軸芯周りで前後両方向にそれぞれ開放揺動自在な扉本体を設けることによって、扉本体の大きさの開口を現出させた避難口からスムーズかつ迅速に避難することができる使用面において有利な非常用間仕切り扉を提供することができる。しかも、前記扉本体の開放操作に伴って該扉本体の開放方向に対応した向きになるように初期姿勢から姿勢変更するとともに該変更姿勢を保持可能に構成し、かつ、該扉本体の閉じ位置で前記初期姿勢へ復帰操作可能な扉開放方向検出具を備えさせるだけで、扉本体がどちら側から開放操作されたかを確実に把握することができ、泥棒の侵入経路や隣人の覗き行為等を把握することができる商品価値の高いものにすることができる。又、前記機械的に構成した扉開放方向検出具とすることによって、センサなどからなる電気的な検出装置から構成したものに比べて、電源確保や配線などを不要にできるコスト面において有利になるだけでなく、誤動作の少ない信頼性の高いものにすることができる。
【００１５】
前記扉開放方向検出具を、前記扉本体に上下軸芯周りで揺動自在に備えた揺動部材と、この揺動部材を前記扉本体の左右幅方向に沿う前記初期姿勢で係止保持するために扉支持用の固定部材側に備えた係止部材と、該係止部材の係止部側へ前記揺動部材を移動付勢するための付勢部材とから構成することによって、扉本体の左右幅方向に対する揺動部材の姿勢（向き）を確認するだけで扉本体がどちら側から開放されたかを直ちに把握することができる。しかも、扉開放方向検出具を３つの構成部材から構成することができるだけでなく、揺動部材を扉本体を利用して取り付けることができ、センサやそれに対する電源及び配線を行う電気的に構成したものに比べて、コスト面及び取付作業面のいずれにおいても有利になる。
【００１６】
前記付勢部材をコイルスプリングから構成し、前記揺動部材を、内部中空の筒状体から構成し、該筒状体の内部空間に前記コイルスプリングを備えさせることによって、コイルスプリングを取り付けるための特別な部材が不要になり、その分部品点数の削減化を図ることができるだけでなく、コイルスプリングに他物が接当することを揺動部材にて回避して、コイルスプリングを長期間に渡って良好に使用することができる利点がある。
【００１７】
前記係止部材の係止部に係止する前記揺動部材の係止部側端の少なくとも外周縁を丸くすることによって、扉本体の開放操作時に係止部から揺動部材が確実に係止解除することができ、誤動作の少ない信頼性の高いものにすることができる。
【００１８】
前記係止部材が、前記扉本体を上下軸芯周りで吊り下げ支持すべく、水平方向に延出した支持アームからなり、その支持アームの延出端面に形成する前記揺動部材の係止部を、平面視が矩形状の切欠きに構成することによって、係止部を構成するための特別な部材が不要になり、その分部品点数の削減化を図ることができる。
【００１９】
前記支持アームの上面に、該支持アームの前記揺動部材側端面よりも揺動部材側へ突出する補強用の板部材を設け、該板部材に前記支持アームに形成した係止部と同一の深さを有する第２の係止部を備えさせることによって、係止部を備えさせることにより強度低下となる支持アームの補強を行うことができながらも、その板部材の係止部により上下方向及び係止方向（係止部の深さ方向）において揺動部材との係止範囲を増大させて、揺動部材が他物との接当等により容易に係止解除操作されることを防止することができる。
【００２０】
前記支持アームと前記扉本体の上端とを連結して該扉本体の開閉時に該扉本体を移動案内するためのガイド部材上に、前記揺動部材を取り付けることによって、下方から揺動部材を視認することが難しく、特に泥棒等の第３者に扉開放方向検出具が取り付けられていることを把握され難くでき、故意に取り外されてしまうことを防止することができる。
【発明を実施するための最良の形態】
【００２１】
図１（ａ）に、非常用間仕切り扉の一例であるベランダ用間仕切り扉を示している。これは、左右幅方向一側に備えた上下（縦）軸芯Ｘ周りで前後両方向に開閉揺動自在な扉本体１を設け、前記扉本体１の前後両側にそれぞれ錠２，３（ここでは同一構成であるが、別の構成であってもよい）が設置され、該一方の錠２を開錠した状態では前記扉本体１を閉じ位置から他方の施錠状態の錠３側へのみ開放操作することを許容し、該他方の錠３を開錠した状態では前記扉本体１を閉じ位置から該一方の施錠状態の錠２側へのみ開放操作することを許容すべく、該２つの錠２，３を構成し、前記扉本体１の開放操作に伴って該扉本体１の開放方向に対応した向きになるように初期姿勢から姿勢変更するとともに該変更姿勢を保持可能に構成し、かつ、該扉本体１の閉じ位置で前記初期姿勢へ復帰操作可能な後述する扉開放方向検出具４を備えている。ここでは、長方形状の一般的な扉本体１を示しているが、正方形又は楕円形あるいは多角形等どのような形状のものであってもよい。本発明は、ベランダ用間仕切り扉に特に有効であるが、家や施設等の建物を取り囲んだり、建物同士の境界線を仕切るための塀や壁あるいはフェンス等に設けられ、緊急時（非常時）に出入りするための出入口となるように構成された扉等にも適用することができる。
【００２２】
図１（ａ），（ｂ）に示すように、前記扉本体１は、上下のベランダ間で、かつ、ベランダの手摺側と建物側とにそれぞれ振り分けて左右一対の縦長状の支持部材５，６（上下のベランダにほぼ渡る長さに設定されている）を配設して、上下のベランダと支持部材５，６とで避難用の開口７を形成し、この開口（避難口）７を前記扉本体１にて閉じるようにしている。そして、前記建物側の支持部材６（ベランダ側の支持部材５でもよい）の上端近くでベランダ面側箇所に、ベランダ側へ水平方向に延びる状態で支持アーム８の一端を固定し、この支持アーム８に前記扉本体１の建物側の上端をボルト９にて前記上下軸芯Ｘ周りで揺動自在に吊り下げ支持している。前記のように扉本体１の上端のみをボルト９止めすることによって、部品点数の削減化と取り付け作業の容易化の両方を図ることができるが、下端も支持するように構成してもよい。又、前記扉本体１は、外周縁を構成する金属製（木製又は樹脂製等であってもよい）の外枠１Ａと、この外枠１Ａにて形成される開口の上下方向ほぼ中央を仕切るための横枠１Ｂと、上下に形成される２つの開口を閉じるフレキシブルボード（ボードでなくてもフレキシブルシートであってもよいし、場合によっては蹴破ることができない硬い材料、金属製や硬質合成樹脂等でなるボードであっても構わない）１Ｃ，１Ｃとからなっているが、他の構成であってもよい。前記支持部材５，６を扉本体１を取り付けるための枠体と称する。
【００２３】
図４及び図５に示すように、前記錠２，３が、施錠状態では前記扉本体１を設けるための支持部材５に該錠２，３の設置側から当接して設置側と反対側への該扉本体１の揺動を接当阻止し、開錠状態では該支持部材５に当接せず該錠２，３の設置側と反対側への該扉本体１の揺動を許容する横長で板状の上下一対の当接部１０，１０（単一の当接部であってもよい）を備えている。
【００２４】
図４に示すように、前記当接部１０，１０は、扉本体１に取り付けられた上下姿勢の棒状体１１の上下２箇所に水平方向に突出する状態でビス止めされている。前記棒状体１１は、３つの円柱部１１Ａと３つの角柱部１１Ｂとが上下方向で交互に配置されたものでなり、上下端が外枠１Ａのベランダ側縦枠の上下方向ほぼ中央に所定間隔を置いてビス止めされた上下一対のＬ字状のブラケット１２，１２に上下移動可能に貫通され、図４に示すように上下一対のブラケット１２，１２に形成されている角型の貫通孔１２Ｋ，１２Ｋに角柱部１１Ｂ，１１Ｂが位置している状態で棒状体１１の回転が阻止され、円柱部１１Ａ，１１Ａがすると、棒状体１１の回転が許容されるようになっている。前記上下方向中央に位置する円柱部１１Ａに、水平方向に突出するピン１３を備え、そのピン１３を受け止めるフック部１４Ａを備えるとともに、図４に示す当接部１０，１０が支持部材５に当接する施錠状態でロックするための取っ手１４Ｂ付きのロック操作部材１４の先端部を支持部材５にビス止めされた平面視Ｌ字状の取付部材１５に水平軸芯Ｙ周りで揺動自在にビスにて取り付けている。前記ロック操作部材１４のフック部１４Ａの近傍箇所に該ロック操作部材１４の下方側への揺動操作時に前記ピン１３を下方側へ接当押圧するための押圧部１４Ｔを備えさせてあり、この押圧部１４Ｔにてピン１３を下方側へ押し移動させることで、棒状体１１を確実に下降させることができるようにしている。又、前記棒状体１１が下降して該棒状体１１のピン１３が接当することにより該棒状体１１をほぼ１８０度扉本体１の内側周りで回転させるための回転案内用のガイド部材１６を前記支持部材５にビス止めしている。前記上側に位置するブラケット１２の水平板部分に、最上昇位置に位置させた棒状体１１のピン１３を前記フック部１４Ａにて受け止めた状態のロック揺動操作位置にあるロック操作部材１４を係止保持するための係止用切欠き１２Ａを形成している。
【００２５】
前記ガイド部材１６は、図６にも示すように、支持部材５にビス止めされる縦長で長方形状の固定板部１６Ａと、この固定板部１６Ａの支持部材５側端から９０度折り曲げられて扉の手前側に向かう姿勢となる前板部１６Ｂと、この前板部１６Ｂの前端部から扉の面に平行となる横板部１６Ｃとからなり、前記前板部１６Ｂの前端面に上端から真っ直ぐ下方に向かう垂直面１６ｄとこの垂直面１６ｄの下端から下方側ほど前側へ徐々に突出するテーパー面１６ｅとを形成し、前記横板部１６Ｃに端部側ほど下方に位置するテーパー面１６ｆを形成している。図６に示す１７，１７は、前記ロック位置の当接部１０，１０に接当するように支持部材５に取り付けられた上下一対のビスであり、当接部１０，１０と支持部材５との間に発生する隙間を吸収してガタツキのない状態にセットすることができるようになっているが、ビス以外のものであってもよいし、場合によっては省略することができる。又、図５に示すように、これら部品を覆うためのカバー部材１８を備えており、ロック解除操作する場合には、上端に備えている取っ手１８Ａを掴んでカバー部材１８を取り外すことになる。
【００２６】
従って、例えば錠２を施錠解除する場合には、カバー部材１８を前述のように取り外してから、ロック操作部材１４をそれの取っ手１４Ｂを掴んで水平軸芯Ｙ周りで図５（ａ）の２点鎖線で示す下方側位置まで揺動操作することによって、図５（ｂ），（ｃ）に示すように、棒状体１１が下降し始める。続いて、棒状体１１が下降してブラケット１２，１２に棒状体１１の円柱部１１Ａ，１１Ａが位置するとともにピン１３がガイド部材１６のテーパー面１６ｅに接当することにより、棒状体１１を上下軸芯Ｚ周りで平面視において反時計周りに回転をし始め、もう一つのテーパー面１６ｆの案内作用により、更に回転して、ほぼ１８０度回転してロックが解除されるようになっている（図５（ｄ），（ｅ）参照）。
【００２７】
図１（ａ），（ｂ）及び図２に示すように、前記扉開放方向検出具４を、前記扉本体１に上下軸芯Ｍ周りで揺動自在に備えた揺動部材１９と、この揺動部材１９を前記扉本体１の左右幅方向に沿う前記初期姿勢で係止保持するために扉支持用の固定部材側に備えた係止部材２０と、該係止部材２０の係止部側へ前記揺動部材１９を移動付勢するための付勢部材２１とから構成している。
【００２８】
前記係止部材２０が、前記扉本体１を上下軸芯Ｘ周りで吊り下げ支持すべく、水平方向に延出した支持アーム８からなり、その支持アーム８の延出端面に形成する前記揺動部材１９の係止部Ｈを、平面視がほぼ矩形状の切欠きに構成し、前記付勢部材２１をコイルスプリングから構成し、前記揺動部材１９を、内部中空の筒状体から構成し、該筒状体１９の内部空間に前記コイルスプリング２１を備えさせている。
【００２９】
前記揺動部材１９は、一端が閉じられた有底筒状で断面が円形に構成されたものからなり、前記支持アーム８の突出端部側と前記扉本体１の左右幅方向中間部の上端とを連結して該扉本体１の開閉時に該扉本体１を移動案内するための板状のガイド部材２２上に、前記揺動部材１９を取り付けている。
詳述すれば、前記ガイド部材２２の支持アーム８側箇所に、逆Ｌ字型の取付ブラケット２３をビス止めし、この取付ブラケット２３を構成する水平板部とガイド部材２２の上面との間に前記揺動部材１９を配置し、ビス２４の螺子部２４Ａ先端を、取付ブラケット２３に形成の孔２３Ａ及び前記揺動部材１９に形成の上下一対の長孔１９Ａ，１９Ｂを通してガイド部材２２に形成の螺子孔２２Ａに螺合させることによって、揺動部材１９をビス２４の縦軸芯Ｍ周りで揺動自在で取り付けるとともに、長孔１９Ａ，１９Ｂの範囲内でコイルスプリング２１の付勢力に抗して取付ブラケット２３の縦壁側へ移動操作することができるように構成している。
【００３０】
図３（ａ），（ｂ），（ｃ）にも示すように、前記係止部材２０の係止部Ｈは、奥側に位置するフラット面（平坦面）３０と、このフラット面３０の両端から入り口側に向かって徐々に広がる傾斜面（テーパー面）３１とを備えてなり、傾斜面３１の入り口側角部を丸く形成している。これに対して、係止作用する前記揺動部材１９の係止部側端に、中心部から設定範囲にかけて正面視において円形の平坦面１９ａを備え、その平坦面１９ａの外周縁を丸くした円弧面（フラットな傾斜面でもよい）１９ｂを備えさせている。このように構成することによって、図３（ａ）の状態から扉本体１を開放すると、図３（ｂ）に示すように、扉本体１と同様にガイド部材２２が揺動される。この状態で円弧面１９ｂがフラット面３０を擦りながら移動し易くなり、係止解除側に揺動部材１９をスムーズに揺動させることができる。そして、更に扉本体１を開放することにより、図３（ｃ）に示すように、係止部Ｈから完全に外れた解除位置に揺動部材１９を揺動させることができるようになっている。このように、図３（ｃ）に示すように、扉本体１が設定角度（例えば１５度）開放操作されることにより、扉本体１の閉じ位置において該扉本体１の左右幅方向に沿う初期姿勢（扉本体１の左右幅方向に沿わない姿勢であってもよい）に保持された前記揺動部材１９が、前記のように係止解除状態となることによって、扉本体１の開放方向に対応した向き、つまり揺動部材１９の係止部側端が扉本体１の開放方向とは反対方向となる傾斜姿勢に姿勢変更され（揺動部材１９の係止部側端とは反対側の端部は、扉本体１の開放方向と同一方向となる傾斜姿勢に姿勢変更されている）、扉本体１を閉じた元の閉じ位置に戻したとしても、前記傾斜姿勢がコイルスプリング２１の付勢力により保持されることにより、どちら側から扉本体１を開放したのかが把握することができるようになっている。ここでは、扉本体１の揺動方向と反対方向に揺動部材１９の係止部側端が向くように揺動部材１９を操作する構成のものを示したが、扉本体１の揺動方向と同一方向に揺動部材１９を操作する構成のものであってもよい。この実施例では、前記一方の錠２を開錠状態にして他方の施錠状態の錠３側へ扉本体１を開けた場合には、扉本体１の開放方向を把握することができるのであるが、両方の錠２，３が開錠されている場合には、前記揺動部材１９の姿勢を見ることによって、どちら側から扉本体１を開放したのかが把握することができるのである。前記係止部Ｈの形状及び揺動部材１９の係止部側端の形状は、共に円弧状に形成することもでき、どのような形状であってもよい。尚、前記傾斜姿勢となった揺動部材１９を初期位置に戻す場合には、扉本体１を閉じ位置に位置させた状態で、揺動部材１９を持ってコイルスプリング２１の付勢力に抗する力で取付ブラケット２３の縦壁側に押し移動させてから揺動させて係止部Ｈに位置させた後、手を離すことによって、揺動部材１９がコイルスプリング２１の付勢力にて突出移動することで、係止部Ｈに揺動部材１９が係止して揺動部材１９を初期位置に係止保持させることができる。
【００３１】
前記ガイド部材２２の支持アーム８側の一端を、前記支持アーム８の突出端部側の下面に、ボルト２５及びナット２６を用いて枢支連結し、該ガイド部材２２の手摺側の他端に螺子孔２２Ｂを形成し、その螺子孔２２Ｂに、扉本体１の上端に形成の扉本体１の左右幅方向に沿って形成された長溝１Ｍに移動自在に入り込んだプレート部材２７から上方に突出したビス２８の上端を螺合している。図１（ａ）、図２（ａ），（ｂ）に示す２８は、支持アーム８を補強するための補強部材であるが、無くてもよい。従って、扉本体１が開放されることにより、プレート部材２７が長溝１Ｍを支持アーム８側に移動するとともにボルト２５の軸心周りでガイド部材２２が扉本体１と同一方向に揺動して、扉本体１の揺動を案内支持するようになっている。
【００３２】
前記揺動部材１９を、扉本体１側に備えさせるとともに、扉支持用の固定部材側、つまり支持アーム８に係止部Ｈを備えさせたが、扉本体１側に係止部Ｈを備えさせるとともに、固定部材側に揺動部材１９を備えさせてもよい。又、扉本体１の揺動中心側に扉開放方向検出具４を備えさせたが、扉本体１の揺動中心から離れる側の遊端側に扉開放方向検出具４を備えさせてもよい。又、扉本体１の上端側に扉開放方向検出具４を備えさせることにより、特に泥棒などの第３者から扉開放方向検出具４を見え難いようにすることができる利点があるが、扉本体１の下端側に扉開放方向検出具４を備えさせて実施してもよい。
【００３３】
図１〜図３では、前記支持アーム８のみから係止部材２０を構成したが、図７（ａ），（ｂ）及び図８に示すように、前記支持アーム８と、それの上面にボルト２５により固定されるＬ字状の補強用の板部材（前記補強部材２９の形状を変更したもの）３２とから係止部材２０を構成してもよい。具体的には、前記板部材３２を、前記支持アーム８の上面にボルト２５により固定される水平板部３２Ａと、この水平板部３２Ａの先端（一端）から下方に垂下した縦板部３２Ｂとから構成している。そして、前記支持アーム８の上面に、該支持アーム８の前記揺動部材側端面よりも揺動部材側へ突出する長さに構成された前記補強用の板部材３２をそれの縦板部３２Ｂが揺動部材側に向いた姿勢でボルト２５により固定し、該板部材３２に前記支持アーム８に形成した係止部３０と同一の水平方向の深さを有する第２の係止部としての切欠き３２Ｃを備えさせることによって、係止部３０を備えさせることにより強度低下となる支持アーム８の補強を行うことができながらも、その板部材３２の係止部３２Ｃにより上下方向及び係止方向（係止部の深さ方向）において揺動部材１９との係止範囲を増大させて、例えば図１〜図３で示した構成に比べて、揺動部材１９が他物との接当等により容易に係止解除操作されることを防止することができる利点がある。前記切欠き３２Ｃは、縦板部３２Ｂから水平板部３２Ａの一部に渡るように形成され、左右幅寸法を前記係止部３０の左右幅寸法と同一にし、水平板部３２Ａの奥側の面と係止部３０を構成する奥側の面とが図７に示すように平面視において同一としているが、必ずしも同一でなくてもよい。前記２つの切欠き３０，３２Ｃから係止部Ｈを構成している。
【００３４】
前記一方の錠２を開錠した状態では前記扉本体１を閉じ位置から同一側である該一方の錠２側へ扉を開放操作することを許容し、該他方の錠３を開錠した状態では前記扉本体１を閉じ位置から同一側である該他方の錠側３へのみ開放操作することを許容する構成であってもよい。
具体的には、図９及び図１０（ａ），（ｂ），（ｃ）に示すように、前記錠２，３を、前記扉本体１の両側にそれぞれ備えさせた水平軸芯Ｗ周りで回転操作可能に上下方向に位置をずらせた状態で扉本体１の外枠１Ａに取り付けた操作レバー３３，３４と、この操作レバー３３，３４と一体的に回転するように支軸３７，３８を介して連結するとともに他方の操作レバー側に突出位置して前記支持部材５に接当して施錠状態となる長方形状で板状の接当片３５，３６とからなっている。
従って、図１０（ａ）に示すように、扉本体１がどちら側へも開放することができない施錠状態から、一方の操作レバー３３を９０度回転させることにより、図１０（ｂ）に示すように、操作レバー３３を下方に垂下した姿勢に姿勢変更させることにより、前記接当片３５を一体的に回転させて、前記支持部材５と接当しない上方に位置する接当解除位置に姿勢変更させることで、前記扉本体１を閉じ位置から同一側である該一方の操作レバー３３側（図において手前側）へ開放操作することを許容し、これとは反対に他方の操作レバー３４を９０度回転させることにより、図１０（ｃ）に示すように、操作レバー３４を下方に垂下した姿勢に姿勢変更させることにより、前記接当片３６を一体的に回転させて、前記支持部材５と接当しない上方に位置する接当解除位置に姿勢変更させることで、前記扉本体１を閉じ位置から同一側である該一方の操作レバー３４側（図において奥側）へ開放操作することを許容するように構成している。図９及び図１０では、前記錠２，３を上下方向で位置をずらせて配置したが、同一位置に配置して実施してもよい。又、図９及び図１０で示した錠２，３の形状及び具体的構成は、図に示されるものに限定されるものではなく、自由に変更可能である。図に示す１７は、前記支持部材５に取り付けた前記ビスであり、無くてもよい。
【図面の簡単な説明】
【００３５】
【図１】（ａ）はベランダ用間仕切り扉をベランダに設置した状態を示す正面図、（ｂ）は、扉開放方向検出具が取り付けられた要部を示す正面図である。
【図２】扉開放方向検出具が取り付けられた要部を示し、（ａ）はそれの縦断正面図、（ｂ）はそれの平面図、（ｃ）はそれの側面図である。
【図３】（ａ）は扉本体の閉じ位置における扉開放方向検出具の平面図、（ｂ）は扉本体を少し開放状態にした扉開放方向検出具の平面図、（ｃ）は扉本体を更に開放状態にした扉開放方向検出具の平面図である。
【図４】扉本体に備えた錠の斜視図である。
【図５】（ａ）は扉本体の前後に錠をそれぞれ備えさせた要部の側面図、（ｂ）と（ｃ）は錠のロックを解除し始めた状態を示す側面図と正面図、（ｄ）と（ｅ）は錠を完全にロック解除した状態を示す側面図と正面図である。
【図６】ガイド部材の斜視図である。
【図７】揺動部材を係止する係止部の別の形態の要部を示し、（ａ）はそれの斜視部、（ｂ）はそれの縦断面図である。
【図８】図７で示した係止部を組み込んだ扉開放方向検出具の平面図である。
【図９】別の形態の錠を示す正面図である。
【図１０】図９で示した錠の取付部を示す横断平面図を示し、（ａ）は２つの錠を施錠状態にした場合を示し、（ｂ）は一方の錠を施錠状態にした場合を示し、（ｃ）は他方の錠を施錠状態にした場合を示している。
【符号の説明】
【００３６】
１  扉本体
１Ａ  外枠
１Ｂ  横枠
１Ｃ  フレキシブルボード
２，３  錠
４  扉開放方向検出具
５，６  支持部材（枠体）
７  開口（避難口）
８  支持アーム（固定部材）
９  ボルト
１０  当接部
１１  棒状体
１２  ブラケット
１２Ａ  切欠き
１３  ピン
１４  ロック操作部材
１４Ａ  フック部
１４Ｂ  取っ手
１４Ｔ  押圧部
１５  取付部材
１６  ガイド部材
１６Ａ  固定板部
１６Ｂ  前板部
１６Ｃ  横板部
１６ｄ  垂直面
１６ｅ，１６ｆ  テーパー面
１７  ビス
１８  カバー部材
１８Ａ  取っ手
１９  揺動部材
１９ａ  平坦面
１９ｂ  円弧面
１９Ａ，１９Ｂ  長孔
２０  係止部材
２１  付勢部材（コイルスプリング）
２２  ガイド部材
２２Ａ，２２Ｂ  螺子孔
２３  取付ブラケット
２３Ａ  孔
２４  ビス
２４Ａ  螺子部
２５  ボルト
２６  ナット
２７  プレート部材
２８  ビス
２９  補強部材
３０  フラット面
３１  傾斜面
３２  板部材
３２Ａ  水平板部
３２Ｂ  縦板部
３２Ｃ  切欠き（係止部）
Ｍ，Ｘ，Ｚ  上下軸心
Ｙ  水平軸芯
Ｈ  係止部
【図１】
2007285058.tif 000003
【図２】
2007285058.tif 000004
【図３】
2007285058.tif 000005
【図４】
2007285058.tif 000006
【図５】
2007285058.tif 000007
【図６】
2007285058.tif 000008
【図７】
2007285058.tif 000009
【図８】
2007285058.tif 000010
【図９】
2007285058.tif 000011
【図１０】
2007285058.tif 000012